(57)【要約】【課題】ヒンジ軸と複数のロック部とで、流出口の直接または間接なシールを、注出口の全周において確実に行えるようにする。【解決手段】ボトル本体１に装着される注出口２ａを持った栓体２、栓体２の片側のヒンジ軸３を中心に注出口２ａを開閉する片開き蓋４、片開き蓋４を閉じ位置にロックし、かつロックを解除できるロック機構５、を備え、ロック機構５は、片開き蓋４と栓体２との一方に設けられて、注出口２ａまわりの少なくとも片開き蓋４の自由端部４ｂ寄りの両側に位置する係止部６ｂが、それぞれに対応する他方の側の係合部２ｃと、爪方式、ねじ方式、ヘリコイド方式、バヨネット方式、のいずれかで、係合し合って、片開き蓋４を閉じ状態にロックし、このロックを解除するように外部操作されるロック部材６を設けて、上記の目的を達成する。【選択図】図２
2011251754.tif 000002
【特許請求の範囲】
【請求項１】
ボトル本体の上端に被さるように装着される注出口を持った栓体と、この栓体の片側のヒンジ軸を中心に注出口を開閉する片開き蓋と、片開き蓋を閉じ位置にロックし、かつロックを解除できるようにしたロック機構とを備え、ロック機構は、片開き蓋と栓体との一方に設けられて、注出口まわりの少なくとも片開き蓋の自由端部寄りの両側に位置する係止部が、それぞれに対応する他方の側の係合部と、爪方式、ねじ方式、ヘリコイド方式、バヨネット方式、のいずれかで、係合し合って、片開き蓋を閉じ状態にロックし、このロックを解除するように外部操作されるロック部材を設けたことを特徴とするボトル栓。
【請求項２】
ボトル本体の上端に被さるように装着される注出口を持った栓体と、この栓体の片側のヒンジ軸を中心に注出口を開閉する片開き蓋と、片開き蓋を閉じ位置にロックし、かつロックを解除できるようにしたロック機構とを備え、ロック機構は、片開き蓋に設けられて、注出口まわりの少なくとも片開き蓋の自由端部寄りの両側に位置する係止部が、それぞれに対応する栓体の側の係合部と、爪方式、ねじ方式、ヘリコイド方式、バヨネット方式、のいずれかで、係合し合って、片開き蓋を閉じ状態にロックし、このロックを解除するように外部操作されるロック部材を設けたことを特徴とするボトル栓。
【請求項３】
ボトル本体の上端に被さるように装着される注出口を持った栓体と、この栓体の片側のヒンジ軸を中心に注出口を開閉する片開き蓋と、片開き蓋を閉じ位置にロックし、かつロックを解除できるようにしたロック機構とを備え、ロック機構は、片開き蓋と栓体との一方に設けられて、注出口まわりの少なくとも片開き蓋の自由端部寄りの両側に位置する係止部が、それぞれに対応する他方の側の係合部と、爪方式、ねじ方式、ヘリコイド方式、バヨネット方式、のいずれかで、係合し合って、片開き蓋を閉じ状態にロックし、このロックを解除するように外部操作されるロック部材を設け、注出口は、上端から凹陥し底部に飲料が流出する流出口を持った受皿を有し、片開き蓋は、受皿内に突出する内蓋部によって注出口を流出口よりも上方で閉じることを特徴とするボトル栓。
【請求項４】
片開き蓋は、中空およびまたは充填した断熱材による断熱構造を有した請求項１〜３のいずれか１項に記載のボトル栓。
【発明の詳細な説明】
【技術分野】
【０００１】
ボトル本体の上端に被さるように装着される注出口を持った栓体と、この栓体の片側のヒンジ軸を中心に注出口を開閉する片開き蓋と、この蓋を開き位置にロックし、そのロックを解除するロック機構とを備えたボトル栓に関する。
【背景技術】
【０００２】
このようなボトル栓は、下記特許文献１、２などで既に知られている。このボトル栓の注出口は、開閉時にヒンジ軸を中心に起伏する片開き蓋に対応して、特許文献１、２に見られるように、ボトル栓の反ヒンジ軸側から飲みやすい位置および形態にて設けられている。
【０００３】
例えば、特許文献１に記載の注出口は、栓体の天面にボトル口とほぼ同心で、かつ、反ヒンジ軸側を深く凹陥した受皿を有し、ボトル本体の前傾に伴い、飲料を受皿に流出させた上で、受皿の反ヒンジ軸側周壁を他の部分よりも高く突出させた注出口縁へと導出して注ぎ、また場合によっては直飲みもできるようにした形態を開示している。このような飲料の受皿への流出と、受皿に流出した飲料の注出口縁への導出がスムーズに行われるように、特許文献１に開示の技術は、飲料の受皿への流出口を、受皿の反ヒンジ軸側に偏って位置し、飲料が流出口から受皿の周壁の注出口側の基部近くに流れ出て後、長い道程の案内による整流化と、ボトルの前傾調整に見合う流量調整とを受けて注出口縁に達して注ぎ、また場合によっては直飲みされるようにしている。
【０００４】
また、特許文献２に記載の注出口は、特許文献１に記載の受皿とほぼ同形態の受皿自体を、ボトル口に対して反ヒンジ軸側に偏った小型なものとして形成することにより、注出口まわりを断熱に有利な多重壁構造とするのを、嵩張りなく達成している。また、注出口は栓体の天面から大きく突出していて、直飲みに特に適した形態となっている。
【０００５】
これら特許文献１、２に開示の片開き蓋は、多くの場合、注出口縁部よりも、注出口の受皿の底部にある流出口を閉じることが主眼とされることから、この受皿内に入り込んで流出口を所定の圧接代をシールパッキン部に有して密閉する内蓋部が比較的大きく突出し、ロック機構によって片開き蓋を閉じ位置にロックし、不用意に開かれるのを防止するのに併せ、流出口のシールパッキン部による圧接状態が緩むのを防止している。
【０００６】
このために、特許文献１に記載の片開き蓋は、内蓋部内の係合部材から内蓋部両側に突出する２つの係合爪が、栓体の注出口まわりの両側縁に形成した係止部に蓋閉じ時に弾性係合して、片開き蓋を閉じ位置にロックし、ばね付勢によってこのロック状態を保持するようにしている。ロックの解除は、ロック部材に連結されて片開き蓋の天面に露出しているロック解除釦を、前記ばね付勢に抗してロック部材をヒンジ軸側にスライドさせる操作をして、ロック部材の係合爪を係止部との係合から外すことによりなされる。ここで、片開き蓋が開き方向にばね付勢されていると、ロック解除と同時に片開き蓋は自動的に開かれる。
【０００７】
特許文献２に開示の片開き蓋は、栓体の片開き蓋自由端部側に対応する側周に設けたロック機構によって、片開き蓋が閉じられるとロック部材が片開き蓋の自由端部にある係合部に弾性的に係合して片開き蓋を閉じ位置にロックするようにしている。ロック解除はロック解除部材の背部に設けられたロック解除部材を、ロック部材に対し上動したロック解除操作を阻止するロック位置から、ロック解除操作可能となるロック解除位置にスライド操作することで、ロック部材を伴いその係合爪が係止部から外れる側に回動させて行うようにしている。
【先行技術文献】
【特許文献】
【０００８】
【特許文献１】特開２００８−１３７６５７号公報
【特許文献２】特開２００８−２３９１７７号公報
【発明の概要】
【発明が解決しようとする課題】
【０００９】
しかし、特許文献１に記載のロック機構は、ヒンジ軸両端と左右の係止部とを結んだ線で囲う注出口まわりのヒンジ軸側半部域で、片開き蓋を栓体に引き付け流出口をシールすることになり、片開き蓋の自由端部側半部に閉じ状態を保持するロック力が直接及ばない上に、注出口の受皿の底部にある流出口は、片開き蓋のロック力が直接及ばない自由端部側半部にあることも関係して、シール圧が保持されにくい。また、ロック力が直接働く前記注出口まわりのヒンジ軸側半部域が、片開き蓋の平面広さに対し、その後部寄りの小さな中央域に集中していて、片開き蓋の左右の振れや、自由端部の浮き上がりを防止しにくくボトル本体の転倒時など片開き蓋に働く不用意な外力によって流出口のシールが甘くなって飲料が漏れ出す不具合が生じやすい。
【００１０】
また、特許文献１に記載のロック機構は、平面視したヒンジ軸の両端と片開き蓋の自由端部側のロック部とを結ぶほぼ三角形状前後域で、片開き蓋を閉じ位置にロックするので、ロック力が片開き蓋のヒンジ軸側から反ヒンジ軸側である自由端部まで及ぶものの、三角形状前後域の左右幅が小さく片開き蓋の左右の振れについては防止しにくく、ボトル本体の転倒時など片開き蓋に働く不用意な外力によって流出口の左右でのシールが甘くなって飲料が漏れ出す不具合が生じやすい。
【００１１】
本発明は、このような点に鑑み、ヒンジ軸と複数のロック部とで、流出口の直接または間接なシールを、注出口の全周において確実に行えるボトル栓を提供することを目的としている。
【課題を解決するための手段】
【００１２】
上記のような目的を達成するために、本発明のボトル栓は、ボトル本体の上端に被さるように装着される注出口を持った栓体と、この栓体の片側のヒンジ軸を中心に注出口を開閉する片開き蓋と、片開き蓋を閉じ位置にロックし、かつロックを解除できるようにしたロック機構とを備え、ロック機構は、片開き蓋と栓体との一方に設けられて、注出口まわりの少なくとも片開き蓋の自由端部寄りの両側に位置する係止部が、それぞれに対応する他方の側の係合部と、爪方式、ねじ方式、ヘリコイド方式、バヨネット方式、のいずれかで、係合し合って、片開き蓋を閉じ状態にロックし、このロックを解除するように外部操作されるロック部材を設けたことを１つの特徴としている。
【００１３】
このような構成では、栓体がボトル本体の上端に被さるように装着されてボトル本体の上部を外装するとともに、注出口を閉じ、かつ、この閉じ状態はロック機構によりロックされて、ロック機構のロック解除操作なしには不用意に開かれることはない。片開き蓋が閉じ位置へのロックを解除されて、開かれると注出口が露出するので、その注出口に口を当てがって飲料を直飲みし、または注出口から飲料を注ぎ出すことができる。特に、ロック機構は、ロック部材が片開き蓋と栓体との一方にあって、注出口まわりの少なくとも片開き蓋の自由端部寄りの両側に位置する係止部が、それぞれに対応する他方の側の係合部と係合し合って、片開き蓋を閉じ状態にロックするので、これら両ロック部とヒンジ軸の両端を結ぶ平面視した四角形状域にて、片開き蓋の注出口まわりの広域にロック力が及び、片開き蓋をどの方向にも閉じ位置に安定させられる。係合は、爪方式、ねじ方式、ヘリコイド方式、バヨネット方式、のいずれかで行うことができ、ねじ式、ヘリコイド式、バヨネット式によれば、双方を引き付け合う力を働かせやすい。これには、ロック部材は注出口まわりの回動で係合し合うものが好適である。
【００１４】
本発明のボトル栓は、また、ボトル本体の上端に被さるように装着される注出口を持った栓体と、この栓体の片側のヒンジ軸を中心に注出口を開閉する片開き蓋と、片開き蓋を閉じ位置にロックし、かつロックを解除できるようにしたロック機構とを備え、ロック機構は、片開き蓋に設けられて、注出口まわりの少なくとも片開き蓋の自由端部寄りの両側に位置する係止部が、それぞれに対応する栓体の側の係合部と、爪方式、ねじ方式、ヘリコイド方式、バヨネット方式、のいずれかで、係合し合って、片開き蓋を閉じ状態にロックし、このロックを解除するように外部操作されるロック部材を設けたことを別の特徴としている。
【００１５】
このような構成では、栓体がボトル本体の上端に被さるように装着されてボトル本体の上部を外装するとともに、注出口を閉じ、かつ、この閉じ状態はロック機構によりロックされて、ロック機構のロック解除操作なしには不用意に開かれることはない。片開き蓋が閉じ位置へのロックを解除されて、開かれると注出口が露出するので、その注出口に口を当てがって飲料を直飲みし、または注出口から飲料を注ぎ出すことができる。特に、ロック機構は、ロック部材が片開き蓋にあって複数の係止部を有するも蓋内デッドスペースを利用して設けられて、注出口まわりの少なくとも片開き蓋の自由端部寄りの両側に位置する係止部が、それぞれに対応する栓体側の係合部と係合し合って、片開き蓋を閉じ状態にロックするので、これら両ロック部とヒンジ軸の両端を結ぶ平面視した四角形状域にて、片開き蓋の注出口まわりの広域にロック力が及び、片開き蓋をどの方向にも閉じ位置に安定させられる。係合は、爪方式、ねじ方式、ヘリコイド方式、バヨネット方式、のいずれかで行うことができ、ねじ式、ヘリコイド式、バヨネット式によれば、双方を引き付け合う力を働かせやすい。これには、ロック部材は注出口まわりの回動で係合し合うものが好適である。
【００１６】
本発明のボトル栓は、また、ボトル本体の上端に被さるように装着される注出口を持った栓体と、この栓体の片側のヒンジ軸を中心に注出口を開閉する片開き蓋と、片開き蓋を閉じ位置にロックし、かつロックを解除できるようにしたロック機構とを備え、ロック機構は、片開き蓋と栓体との一方に設けられて、注出口まわりの少なくとも片開き蓋の自由端部寄りの両側に位置する係止部が、それぞれに対応する他方の側の係合部と、爪方式、ねじ方式、ヘリコイド方式、バヨネット方式、のいずれかで、係合し合って、片開き蓋を閉じ状態にロックし、このロックを解除するように外部操作されるロック部材を設け、注出口は、上端から凹陥し底部に飲料が流出する流出口を持った受皿を有し、片開き蓋は、受皿内に突出する内蓋部によって注出口を流出口よりも上方で閉じることを他の特徴としている。
【００１７】
このような構成では、栓体がボトル本体の上端に被さるように装着されてボトル本体の上部を外装するとともに、片開き蓋が注出口をその受皿の底部にある流出口よりも上方で閉じ、かつ、この閉じ状態はロック機構によりロックされて、ロック機構のロック解除操作なしには不用意に開かれることはない。片開き蓋が閉じ位置へのロックを解除されて、開かれると注出口が露出するので、その注出口に口を当てがって飲料を直飲みし、または注出口から飲料を注ぎ出すことができる。特に、ロック機構は、ロック部材が片開き蓋と栓体との一方にあって、注出口まわりの少なくとも片開き蓋の自由端部寄りの両側に位置する係止部が、それぞれに対応する他方の側の係合部と係合し合って、片開き蓋を閉じ状態にロックするので、これら両ロック部とヒンジ軸の両端を結ぶ平面視した四角形状域にて、片開き蓋の注出口まわりの広域にロック力が及び、片開き蓋をどの方向にも閉じ位置に安定させられる。係合は、爪方式、ねじ方式、ヘリコイド方式、バヨネット方式、のいずれかで行うことができ、ねじ式、ヘリコイド式、バヨネット式によれば、双方を引き付け合う力を働かせやすい。これには、ロック部材は注出口まわりの回動で係合し合うものが好適である。
【００１８】
上記において、さらに、片開き蓋は、中空およびまたは充填した断熱材による断熱構造を有したものとすることができる。
【００１９】
このような構成では、上記に加え、さらに、片開き蓋が中空およびまたは充填した断熱材による断熱構造により、ボトル本体内から片開き蓋外まわりへの熱移動を抑制することができる。
【発明の効果】
【００２０】
本発明の１つの特徴のボトル栓によれば、栓体がボトル本体の上部を外装するとともに、注出口を閉じ、かつ、この閉じ状態はロックされてロック解除操作なしには不用意に開かれることはない。片開き蓋がロックを解除されて開かれると露出した注出口にて飲料を直飲みし、注出口から飲料を注ぎ出すことができる。特に、片開き蓋と栓体との間で、その一方の側のロック部材の注出口まわりの少なくとも片開き蓋の自由端部寄りの両側にある係止部が、それぞれに対応する他方の側の係合部と係合し合って片開き蓋を閉じ状態にロックし、これら両ロック部とヒンジ軸の両端を結ぶ平面視した四角形状域にて片開き蓋の注出口まわりの広域にロック力を及ぼし、片開き蓋をどの方向にも閉じ位置に安定させられるので、ボトル本体の転倒時など片開き蓋に不用意な外力が働いても、注出口の閉じ状態が緩んで飲料が漏れ出るのを防止することができる。
【００２１】
本発明の別の特徴のボトル栓によれば、栓体がボトル本体の上部を外装するとともに、注出口を閉じ、かつ、この閉じ状態はロックされてロック解除操作なしには不用意に開かれることはない。片開き蓋がロックを解除されて開かれると露出した注出口にて飲料を直飲みし、注出口から飲料を注ぎ出すことができる。特に、ロック部材が複数の係止部を有するも片開き蓋内のデッドスペースを利用して嵩張りの増大なく設けられて、注出口まわりの少なくとも片開き蓋の自由端部寄りの両側に位置する係止部が、それぞれに対応する栓体側の片開き蓋が開いても目立たない係合部と係合し合って、片開き蓋を閉じ状態にロックし、これら両ロック部とヒンジ軸の両端を結ぶ平面視した四角形状域にて片開き蓋の注出口まわりの広域にロック力を及ぼし、片開き蓋をどの方向にも閉じ位置に安定させられるので、ボトル本体の転倒時など片開き蓋に不用意な外力が働いても、注出口の閉じ状態が緩んで飲料が漏れ出るのを防止することができる。
【００２２】
本発明の他の特徴のボトル栓によれば、栓体がボトル本体の上部を外装するとともに、片開き蓋が注出口をその受皿の底部にある流出口よりも上方で、流出口の存在の影響なしに周方向に途切れのないシールを確保して閉じられ、流出口の位置や形状、数の選択の自由度を高められる。流出口のかつ、この閉じ状態はロックされてロック解除操作なしには不用意に開かれることはない。片開き蓋がロックを解除されて開かれると露出した注出口にて飲料を直飲みし、注出口から飲料を注ぎ出すことができる。また、片開き蓋と栓体との間で、その一方の側のロック部材の注出口まわりの少なくとも片開き蓋の自由端部寄りの両側にある係止部が、それぞれに対応する他方の側の係合部と係合し合って片開き蓋を閉じ状態にロックし、これら両ロック部とヒンジ軸の両端を結ぶ平面視した四角形状域にて片開き蓋の注出口まわりの広域にロック力を及ぼし、片開き蓋をどの方向にも閉じ位置に安定させられるので、ボトル本体の転倒時など片開き蓋に不用意な外力が働いても、注出口の閉じ状態が緩んで飲料が漏れ出るのを防止することができる。
【００２３】
上記に加え、さらに、片開き蓋が中空およびまたは充填した断熱材による断熱構造により、ボトル本体内から片開き蓋外まわりへの熱移動を抑制するので、ボトル本体に収容した飲料に対する保温性、保冷性を高められるし、片開き蓋外面の露付きを防止し昇温を抑えられる。
【図面の簡単な説明】
【００２４】
【図１】本実施の形態に係るボトル栓の１つの具体例をボトル本体への装着状態で示す断面図およびロック機構操作部の正面図である。
【図２】同ボトル栓の向きを変えて示す断面図である。
【図３】同ボトル栓単体を、片開き蓋を取り外して示す平面図およびロック機構の係合部の側面図である。
【図４】別の例のボトル栓単体を、片開き蓋を閉じたロック状態で示す反ヒンジ軸側から見た斜視図である。
【図５】同ボトル栓単体を、片開き蓋を閉じて示すヒンジ軸側から見た斜視図である。
【図６】同ボトル栓単体を、片開き蓋を開いて示す斜視図である。
【図７】同ボトル栓の片開き蓋とロック部材との関係を示す内部構造の斜視図である。
【図８】同ボトル栓の片開き蓋とロック解除部材との関係例をロック解除状態で示すボトル栓単体および片開き蓋の斜視図である。
【発明を実施するための形態】
【００２５】
以下、本発明の実施の形態に係るボトル栓について図１〜図８を参照しながら説明し、本発明の理解に供する。しかし、以下の説明は本発明の具体例であって、特許請求の範囲の記載の内容を限定するものではない。
【００２６】
本実施の形態のボトル栓は、図１、図２に示すようにボトル本体１の上端に被さるように装着され、注出口２ａを持った栓体２と、この栓体２の片側のヒンジ軸３を中心に注出口２ａを開閉する片開き蓋４と、片開き蓋４を栓体２との間で図１、図２に示す閉じ位置にロックし、かつロックを解除できるようにしたロック機構５とを備えている。ロック機構５は片開き蓋４を閉じ位置にロックするロック部材６と、ロック部材６によるロック、ロック解除を行うロック解除部材８と、を備えている。
【００２７】
これにより、栓体２がボトル本体１の上端に被さるように装着されてボトル本体１の上部を外装するとともに、注出口２ａを閉じ、かつ、この閉じ状態はロック機構５によりロックされて、ロック機構５のロック解除操作なしには不用意に開かれることはない。片開き蓋４が閉じ位置へのロックを解除されて、開かれると注出口２ａが露出するので、その注出口縁２ｂを口に当てがい、ボトル本体１の注出口縁２ｂ側への傾きを伴い飲料を注出口２ａに流出させることにより直飲みすることができる。また、注出口２ａに流出する飲料を注出口縁２ｂから注ぎ出すこともできる。
【００２８】
本実施の形態のボトル栓は、上記のような基本構成において、ロック機構５は、図示例のように片開き蓋４に設けられるか、図示例とは異なり栓体２に設けられるかして、注出口２ａまわりの少なくとも片開き蓋４の図１に示す自由端部４ｂ寄り、つまり前部寄り、反ヒンジ軸３側で図３に示すような左右両側に位置する係止部６ｂが、それぞれに対応するロック部材を設けない側となる栓体２の係合部２ｃ、あるいは片開き蓋４の係合部と、図示例のような爪方式、あるいは図示例とは別にねじ方式、ヘリコイド方式、バヨネット方式、のいずれかで、図３に爪方式で代表して示すように係合し合って、片開き蓋４を閉じ状態にロックし、このロックを解除するように外部操作されるロック部材６を設けた点に１つの特徴を有している。
【００２９】
これにより、栓体２がボトル本体１の上端に被さるように装着されてボトル本体１の上部、つまりボトル口１ａを外装するとともに、注出口２ａを閉じ、かつ、この閉じ状態はロック機構５によりロックされて、ロック機構５のロック解除操作なしには不用意に開かれることはない。片開き蓋４が閉じ位置へのロックを解除されて、開かれると注出口２ａが図３に示すように露出するので、その注出口２ａの注出口縁２ｂに口を当てがって飲料を直飲みし、または注出口２ａに流出する飲料を注出口縁２ｂから注ぎ出すことができる。特に、ロック機構５は、ロック部材６が片開き蓋４と栓体２との一方にあって、注出口２ａまわりの少なくとも片開き蓋４の自由端部４ｂ寄りの両側に位置する係止部６ｂが、それぞれに対応する他方の側の係合部２ｃと係合し合って、片開き蓋４を閉じ状態にロックするので、これら両ロック部１５とヒンジ軸３の両端を結ぶ平面視した四角形状域Ｓ１にて、片開き蓋４の注出口２ａまわりの広域にロック力が及び、片開き蓋４をどの方向にも閉じ位置に安定させられる。係合は、爪方式、ねじ方式、ヘリコイド方式、バヨネット方式、のいずれかで行うことができ、ねじ式、ヘリコイド式、バヨネット式によれば、双方を引き付け合う力を働かせやすい。これには、ロック部材６は注出口２ａまわりの回動で係合し合うものが好適である。爪式係合であれば回動でも直線移動でも係合し合える。また、ねじ式でも係合ストロークは短くてよく、現実には周方向に部分的な螺条を適用することになるので、ヘリコイド方式と実質的に同じになる。バヨネット方式であれば、弾性的に係合し合うようにするので、係止部および係合部の一方を弾性変形に強い金属片とするのが好適である。
【００３０】
したがって、栓体２がボトル本体１の上部を外装するとともに、注出口２ａを閉じ、かつ、この閉じ状態はロックされてロック解除操作なしには不用意に開かれることはない。片開き蓋４がロックを解除されて開かれると露出した注出口２ａにて飲料を直飲みし、注出口２ａから飲料を注ぎ出すことができる。特に、片開き蓋４と栓体２との間で、その一方の側のロック部材６の注出口２ａまわりの少なくとも片開き蓋４の自由端部４ｂ寄りの両側にある係止部６ｂが、それぞれに対応する他方の側の係合部２ｃと係合し合って片開き蓋４を閉じ状態にロックし、これら両ロック部１５とヒンジ軸３の両端を結ぶ平面視した四角形状域Ｓ１にて片開き蓋４の注出口２ａまわりの広域にロック力を及ぼし、片開き蓋４をどの方向にも閉じ位置に安定させられるので、ボトル本体１の転倒時など片開き蓋４に不用意な外力が働いても、注出口２ａの閉じ状態が緩んで飲料が漏れ出るのを防止することができる。
【００３１】
本実施の形態のボトル栓は、また、上記のような基本構成において、ロック機構５は、図示例通り、片開き蓋４に設けられて、注出口２ａまわりの少なくとも片開き蓋４の図１に示す自由端部４ｂ寄り、つまり前部寄り、反ヒンジ軸３側で図３に示すような左右両側に位置する係止部６ｂが、それぞれに対応する栓体の側の係合部２ｃと、爪方式、ねじ方式、ヘリコイド方式、バヨネット方式、のいずれかで、係合し合って、片開き蓋４を閉じ状態にロックし、このロックを解除するように外部操作されるロック部材６を設けた点に別の特徴を有している。
【００３２】
これにより、特に、ロック機構５は、ロック部材６が片開き蓋４にあって複数の係止部６ｂを有するも蓋内デッドスペースを利用して設けられて、注出口２ａまわりの少なくとも片開き蓋４の自由端部４ｂ寄りの左右両側に位置する係止部６ｂが、それぞれに対応する栓体２側の係合部２ｃと係合し合って、片開き蓋４を閉じ状態にロックするので、これら両ロック部１５とヒンジ軸３の両端を結ぶ平面視した四角形状域Ｓ１にて、片開き蓋４の注出口２ａまわりの広域にロック力が及び、片開き蓋４をどの方向にも閉じ位置に安定させられる。係合は、爪方式であれば回動でも直線移動でも係合し合える。しかし、図３に矢印Ｃで示すように回動式に係合し合うものとすれば、ロック部材６を片開き蓋４内の環状デッドスペースを利用して、特別なスペースなしに係合、係合解除操作することができる。
【００３３】
したがって、ロック部材６が複数の係止部６ｂを有するも片開き蓋４内のデッドスペースを利用して嵩張りの増大なく設けられて、注出口２ａまわりの少なくとも片開き蓋４の自由端部４ｂ寄りの両側に位置する係止部が、それぞれに対応する栓体側の片開き蓋４が開いても目立たない係合部２ｃと係合し合って、片開き蓋４を閉じ状態にロックし、これら両ロック部１５とヒンジ軸３の両端を結ぶ平面視した四角形状域にて片開き蓋４の注出口まわりの広域にロック力を及ぼし、片開き蓋４をどの方向にも閉じ位置に安定させられるので、ボトル本体１の転倒時など片開き蓋４に不用意な外力が働いても、注出口の閉じ状態が緩んで飲料が漏れ出るのを防止することができる。
【００３４】
本実施の形態のボトル栓は、また、上記のような基本構成において、ロック機構５は、片開き蓋４と栓体２との一方に設けられて、注出口２ａまわりの少なくとも片開き蓋４の図１に示す自由端部４ｂ寄りの図３に示すような左右両側に位置する係止部６ｂが、それぞれに対応する他方の側の係合部２ｃと、爪方式、ねじ方式、ヘリコイド方式、バヨネット方式、のいずれかで、係合し合って、片開き蓋４を閉じ状態にロックし、このロックを解除するように外部操作されるロック部材６を設け、注出口２ａは、図１、図２に示すように上端から凹陥し底部に飲料が流出する流出口兼吸気口１４を持った受皿１３を有し、片開き蓋４は、受皿１３内に突出する内蓋部４ａによって注出口２ａを流出口兼吸気口１４よりも上方で閉じる点に他の特徴を有している。
【００３５】
これにより、１つの特徴の場合に加え、さらに、片開き蓋４が注出口２ａをその受皿１３の底部にある流出口兼吸気口１４よりも上方で、流出口兼吸気口１４とは無関係に閉じられる。従って、流出口兼吸気口１４の存在の影響なしに周方向に途切れのないシールを確保して閉じられ、流出口兼吸気口１４の位置や形状、数の選択の自由度を高められるし、受皿１３の凹陥度に対する内蓋部４ａの受皿１３内への必要突出度を低減することができる。前記シールのために、注出口２ａの受皿１３の中段に図１、図２、図３に示すような上向きの段部１６を設け、片開き蓋４の内蓋部４ａの下部の外まわりに図１、図２に示すように装着したシールパッキン１７が片開き蓋４の閉じ位置で前記段部１６に圧接されることで、注出口２ａの全周で、成形誤差や組み立て誤差を吸収して、確実かつほぼ均一なシールの基に密閉できるようにしている。
【００３６】
また、図示例では、さらに、片開き蓋４は、内蓋部４ａに充填した断熱材４１による断熱構造を有したものとしてある。この断熱材４１による断熱構造により、ボトル本体１内から片開き蓋４外まわりへの熱移動を抑制することができる。結果、ボトル本体１に収容した飲料に対する保温性、保冷性を、金属製の真空二重容器としたボトル本体１と共に高められるし、ボトル本体１、片開き蓋４外面の露付きを防止し昇温を抑えられる。
【００３７】
さらに詳述すると、注出口２ａが、注出口２ａへの流出飲料を受け流して直飲みに供する注出口縁２ｂを、図１、図２の組み合わせで示し、図３に示すように、少なくとも、直飲みするユーザの鼻が片開き蓋４に正対しないＡまたはＢの向きに有していると、注出口縁２ｂがＡ、Ｂのうちの１つの向きにて、注出口２ａへの流出飲料を受け流して直飲みにまたは注ぎ出しに供するので、ボトル本体１の注出口縁２ｂ側への傾きを伴い直飲みや注ぎ出しするのにユーザの鼻に片開き蓋４、特に内蓋部４ａが当たるのを避けられる。従って、栓体２がボトル本体１の上端に被さって外装する状態で、注出口２ａを閉じロック機構５によりロックされ不用意に開かれないようにしながら、ロック解除を伴い開くと注出口２ａが露出してその注出口縁２ｂを口に当てがい、ボトル本体１を注出口縁２ｂ側へ傾かせることで、飲料を注出口２ａに流出させて注出口縁２ｂから直飲みし、また注ぎ出せるが、注出口縁２ｂが少なくとも、直飲みするユーザの鼻が片開き蓋４に正対しないＡまたはＢの向きにて直飲みに供することになるので、ボトル本体１の注出口縁２ｂ側への傾きを伴い直飲みするのにユーザの鼻に片開き蓋４が当たる不快感を回避し、直飲みしやすいものとなる。
【００３８】
ここで、注出口縁２ｂは、直飲みや注ぎ出しに供する向きに他の部分よりも高く形成したり、ストレートな他と違って直飲みしやすい外側への反り形状にしたりして、実質的に部分的に設けることができるが、これに限られることはなく、図示例のように注出口２ａの栓体２の軸線に直角な平面上にある周方向全周で一様な形態にて形成することもできる。これによって、注出口縁２ｂは、直飲みするユーザの鼻が片開き蓋４に正対しないヒンジ軸３に平行な２つの向きＡ、Ｂに加え、反ヒンジ軸３側の向きＣを含むヒンジ軸３を避けた広域（広角）に有したものとなる。従って、注出口縁２ｂは、直飲みするユーザの鼻が片開き蓋４に正対しないヒンジ軸３に平行な２つの向きＡ、Ｂでは、注出口２ａへの流出飲料を受け流して直飲みに供するので、ボトル本体１の注出口縁２ｂ側への傾きを伴い直飲みするのにユーザの鼻に片開き蓋４が当たるのを避けられる。しかも、２つの向き、つまり、注出口縁２ｂに口を当てたユーザの顔の左に片開き蓋４が来る向きＡ側からと、右に片開き蓋４が来るＢ側からと、のボトル本体１に対する片手握りでの選択使用ができる。また、注出口縁２ｂは、前記２つの向きを含むヒンジ軸３を避けた向きＡ、Ｂ、Ｃを含む広域では、前記の場合に加え、反ヒンジ軸３側、および反ヒンジ軸３側と前記２つの向きとの間、からの直飲みも選択することができ、鼻に片開き蓋４が当たる個人差に応じた多様な向きでの選択使用がで便利である。これら直飲みに対し、受皿１３の凹陥度に対する内蓋部４ａの受皿１３内への突出度を抑えられることは、内蓋部４ａがユーザの鼻により当たり難くする利点がある。
【００３９】
図３に実線矢印Ａ、Ｂ、Ｃで、ヒンジ軸３に平行な左右２つの向きと、反ヒンジ軸３側の向きとの３つの方向で代表して、直飲み方向を示しているが、これに限られることはなく、左方向直飲み位置から反ヒンジ軸側直飲み位置を経由して右方向直飲み位置に至る全域において、片開き蓋４に鼻が当たることのない直飲みができる。これに対応して、流出口兼吸気口１４は、図３に示すように受皿１３の周壁に沿う底部の周辺左右前後の４か所に設けてあり、実線矢印で示す３つの方向からの直飲みに対して対応する流出口兼吸気口１４を通じ飲料が流出し、それらにカウンター方向となる破線矢印で示す３つの方向からの吸気が対応する流出口兼吸気口１４を通じ行われる。これら３つの方向の途中位置からの直飲みに対してはこの直飲み位置に両側から対向する２つの流出口兼吸気口１４から飲料が流出し、吸気はそれらと反対側の２つの流出口兼吸気口１４を通じ行われることになる。これら飲料の流出とそれに伴う吸気とは、注出口縁２ｂから飲料を注ぎ出す場合にもボトル本体１の傾斜に従い同様になされる。
【００４０】
また、受皿１３の底部は図１、図２に示すように、上に凸のドーム形状にしてある。これにより、受皿１３に流出して直飲みまたは注ぎ出された後、ボトル本体１が起こされたときに受皿１３内に残る飲料を底部の周辺に集めて、そこに位置し、また並んでいる流出口兼吸気口１４を通じボトル本体１内にスムーズに戻すことができる。
【００４１】
また、栓体２は、ボトル口１ａの内外側に跨って被さり、ボトル口１ａの外ねじ１ｂに外壁１１ｂをねじ合わせて着脱できるように装着されて、片開き蓋４をヒンジ軸３で連結している二重構造のカバー壁１１と、このカバー壁１１に着脱できるように同心上で密嵌合して装着される注出口２ａを有した栓本体部１２とを有し、注出口２ａは、栓体２の軸線に直角な平面上にある上端周縁を一様な注出口縁２ｂとしている。このように、栓体２が、互いに着脱できるカバー壁１１と、栓本体部１２とに、片開き蓋４と、注出口２ａとを、住み分け装備して、互いが丸洗いできるようにしながら、栓本体部１２はその注出口２ａの水平な上端周縁を注出口縁２ｂとする形態の単純化を図って、しかも、直飲みできないヒンジ軸３側を避けての、鼻に片開き蓋４が当たる個人差に応じた多様な向きでの選択使用がより自由にできる。従って、栓体２が、互いに着脱できるカバー壁１１と、栓本体部１２とに、片開き蓋４と、注出口２ａとを、住み分け装備して、互いが丸洗いできるようにしながら、栓本体部１２は図示例のようにストレートに立ち上がるなどした注出口２ａの水平な上端周縁を注出口縁２ｂとする形態の単純化を図って成形を容易にし、しかも、鼻に片開き蓋４が当たる個人差に応じた多様な向きでの選択使用がより自由にできる。
【００４２】
さらに、カバー壁１１に栓本体部１２を密嵌合するのに、栓本体部１２の注出口２ａと同径な外周の溝内にシールパッキン４２を装着し、栓本体部１２をカバー壁１１天面中央の穴４３に下方から嵌め併せると、シールパッキン４２が穴４３に圧入されて、着脱できるように装着されるようにしている。この装着時、栓本体部１２の外周にその下端部に有したフランジ４４の上で装着しているシールパッキン４５がカバー壁１１の内壁１１ａの下端に圧接して、シールパッキン４２と共に上下をシールして、内壁と栓本体部１２との間に中空の断熱部４６を形成してあり、上記片開き蓋４の断熱材４１による断熱構造とともに、栓体２および片開き蓋４を通じた熱の上部への逃げや、栓体２および片開き蓋４外まわりの結露、昇温をさらに抑えやすくなる。また、受皿１３の底部と内蓋部４ａ下端部との間にできる空間４７も流出口兼吸気口１４の存在によっても空気を対流させずに捕捉しやすいので、ボトル本体１内と栓体２および片開き蓋４との間の断熱性を高められる。また、受皿１３の底部下に各流出口兼吸気口１４の下に傘型の露受部材５０を装着してあり、流出口兼吸気口１４から残留飲料や結露分が流下し、滴下しても、一旦、露受部材４７で受けて伝わせボトル本体１内にスムーズに静音で戻すことができる。また、この露受部材４７は熱気が流出口兼吸気口１４を通じダイレクトに注出口２ａ側に上がって結露したり、ユーザに熱い思いをさせるのを緩和することができる。また、図１、図２に示すように、栓本体部１２の下端のフランジ４４の外周の溝に装着したシールパッキン４８がボトル口１ａの内側にあるネッキング加工による段部４９に圧着して相互間をシールし、内壁１１ａとボトル口１ａとの間に飲料が侵入するのを防止している。なお、カバー壁１１の内壁１１ａと外壁１１ｂは別体で、穴４３の部分で超音波溶着してあるが、一体成形されてもよい。カバー壁１１と栓本体部１２は互いに着脱できる程度に弾性係合または無理嵌めして一体化することもできるし、着脱できない無理嵌め構造としてもよい。
【００４３】
さらに、ロック機構５は図１、図２に示すように、片開き蓋４と、その内側に天板部４ｃを超音波溶着するなどして一体に組み合わせた内蓋部４ａとの上端外周間に形成したコーナースペースＣＳ内に回動できるように、上下方向および径方向の内外双方から挟み込まれたリング状本体６ｆを有したロック部材６と、このロック部材６のリング状本体６ｆの反ヒンジ軸３側、前部側となる周方向一部から一体成形して垂下させた被操作片６ａに回動方向に一体で、上下方向に移動できるように装着して片開き蓋４の外周りから外部操作できるようにしたロック解除部材８とで構成している。被操作片６ａは、片開き蓋４の周壁下端から周壁の反ヒンジ軸３側、前部側の外面に回り込んで立ち上がる操作片６ｃを有し、この操作片６ｃの上下スライド窓６ｄに外面側から外向きの左右フック対８ａを弾性係合してロック解除部材８を上下摺動できるように装着してあり、操作片６ｃの外面の保護枠６ｅ内で上下摺動させられる。
【００４４】
ロック部材６は、図２に示すようにリング状本体６ｆの周方向各部から一体成形して垂下したロック片６ｇの下端に前記係止部６ｂを図３に示すように平面視して右回り方向に先端が向くロック部として一体成形してあり、栓体２のカバー壁１１の外周の片開き蓋４との合わせ面２ｄの内側にそれより一段高く形成した係合部面２ｅのロック片６ｇとの対応か所に、ロック片６ｇとのカウンター方向に向く係合部２ｃを一体成形して設けてある。これにより、ロック片６ｇがリング状本体６ｆの右回り回動を伴い係合部２ｃに向かってくると図２、図３に示すように互いに係合し合い、片開き蓋４を図１、図２に示す閉じ位置にロックし、ロック解除なしには片開き蓋４が開かれないようにする。
【００４５】
このロックが自動的に行われるように、リング状本体６ｆを図２に示すばね５１により右回り方向に付勢して、係合部２ｃとの係合位置に常時あるようにしてある。これにより、片開き蓋４が閉じられるとロック片６ｇが栓体２の係合部２ｃに上方から当接して行き、双方の斜面間で滑りながらロック片６ｇがばね５１に抗しリング状本体６ｆの左回り回動を伴いロック解除側に押し退けられながら下動し、片開き蓋４の閉じが完了する下動最終位置でロック片６ｇが係合部２ｃと係合可能な状態に対向し合い、ばね５１の付勢によってリング状本体６ｆの右回り回動を伴いロック片６ｇが係合部２ｃに自動的に係合して片開き蓋４を閉じ位置にロックする。
【００４６】
ロック解除部材８は、前記ロック部材６の回動に同伴するが、前記ロック部材６による片開き蓋４に対するロック位置では、図１（ａ）（ｂ）に示すようにロック解除部材８の裏面に突出する係合突起８ｂが、片開き蓋４の周壁に形成したロック解除操作窓４ｄ内にロック解除操作のための遊びを有して臨み、ロック解除操作窓４ｄの下縁に形成された、前記遊びを持たない係止凹部４ｅに対向するようにしてある。この対向状態でロック解除部材８を図１（ａ）（ｂ）に示すロック位置に下動させると、図示するように係合突起８ｂが係止凹部４ｅに係合するので、ロック部材６はロック位置からのロック解除側となる左回りの回動を阻止されてロック解除動作できないし、そのままではロック解除部材８によってロック部材６による片開き蓋４のロックを解除操作することもできないロック状態になる。これにより、ロック解除部材８によっても、このロック解除部材８を図１（ａ）（ｂ）に示すロック位置からロック解除位置に上動させて係合突起８ｂを係止凹４ｅとの係合を上方に外さない限り、ロック部材６のロック解除操作はできない。従って、幼児の悪戯やボトル本体１の転倒時に働く外力によって不用意にロック解除されるようなことはない。またロック解除部材８の全面には操作部８ｃが突出しているが、前記保護枠６ｅからは突出しておらず、ボトル本体１の転倒時に働く外力から保護されるし、その外力が不用意なロック解除操作力とならないようにもされる。片開き蓋４はヒンジ軸３まわりに装着した蔓巻きばね５２によって開き方向に付勢してあり、ロック解除と同時に自動的に開かれるので、ボトル本体１を片手で握って、親指でロック解除操作すると、そのまま直飲みに移行できる。もっとも開き方向へのばね付勢は必須ではない。
【００４７】
さらに、ロック部材６の係止部６ｂは、図３に示すように周方向の４つの等配位置に設けてあり、既述した栓体２の注出口２ａまわりの、反ヒンジ軸３側の左右両側に加え、ヒンジ軸３側の左右両側にも位置して、別の例を示す図４〜図８の内の図７に示すロック部材６が一部示しているように設けられて、これに対応するように栓体２側に設けられた４つの係合部２ｃと係合し、片開き蓋４をその軸線まわりの４か所から均等により確実にロックできるようにしている。この場合に片開き蓋４にロック力が働く図３に示すような４つのロック部１５とヒンジ軸３の両端とを結んでできる四角形状域Ｓ２は、図３に斜線を施して示すように、前記四角形状域Ｓ１の場合よりもさらに広域になって片開き蓋４の平面視域により近づき、片開き蓋４をどの向きにもより安定して閉じ位置にロックすることができ、ボトル本体１の転倒時などに働く外力によっても内蓋部４ａによる注出口２ａの閉じ状態が部分的にも甘くなることはなく、飲料漏れを確実に防止でき、広角での直飲み構造に対するシール構造として好適である。
【００４８】
図７は、また、ロック部材６のリング状本体６ｆに設けた受動片６ｈと内蓋部４ａの天板が外周から垂下した周壁４ｆの下端フランジ４ｇから立ち上がった作用片４ｈとの間にばね５１を働かせた様子を示しており、図１〜図３に示す例でもこれを採用している。併せ、図６は、片開き蓋４にロック部材６、ばね５１、ロック解除部材８を装備することで、栓体２側は注出口２ａのまわりに係合部２ｃを設けるだけでよく、殆ど嵩張らず、注出口２ａによる直飲みに邪魔にならない様子を示している。
【００４９】
図４〜図８に示す例は、ロック解除部材８を片開き蓋４の周壁の内側に配置して、操作部８ｃをロック部材６の操作片６ｃの一部と共に、片開き蓋４の周壁のロック解除操作窓４ｊからロック解除操作のための遊びを有して突出させてあり、ロック解除部材８の操作片６ｃ上で下動した図４に示すロック位置では、図６に示すように内蓋４ａの下端フランジ４ｇの係止窓４ｋに下向きの係合突起８ｂが係合することで、ロック部材６のロック解除を阻止するロック状態になるようにしている。ロック解除部材８をその操作部８ｃによって図８（ａ）に示すロック解除位置に上動させると、ロック解除部材８の係合突起８ｂが係止窓４ｋから図８（ｂ）に示すように上方に外れるので、ロック解除部材８の操作部８ｃにより、ロック解除操作部材８を介しロック部材６を左回りに回動させれば、係止部６ｂと係合部２ｃとの係合を外しロック部材６による片開き蓋４の閉じ位置へのロックを解除することができる。その他の構造は、図１〜図３に示す例と特に変わるところはない。
【００５０】
ここで、栓体２は、胴部径が６０ｍｍ未満、よりよくは５０ｍｍ未満のボトル本体１にその胴部とほぼ同径に装着されるものとすることができ、胴部径が６０ｍｍ未満でも、少年、少女以上の大方の人の片手によってボトル本体１の半周以上を、親指の根元部から他の手指、特に長い中指および薬指の先端までで、人差し指、小指を添えて安定に握り、フリーになった親指をボトル本体１に装着された栓体２のロック機構５におけるロック部材６をロック、ロック解除操作することができ、ロック解除操作後はそのままの握り状態で栓体２にある注出口２ａによって直飲みさせられる。５０ｍｍ未満とすれば、安定に片手持ちされる人数が格段に増大する。    
【産業上の利用可能性】
【００５１】
本発明は、片開き蓋を持ったボトル栓に実用して、片開き蓋を注出口周まわりの広域（広角域）にてほぼ均等に閉じ位置にロックし、注出口の閉じ状態が甘くならないようにできる。
【符号の説明】
【００５２】
１  ボトル本体
１ａ  ボトル口
２  栓体
２ａ  注出口
２ｂ  注出口縁
２ｃ  係合部
３  ヒンジ軸
４  片開き蓋
５  ロック機構
６  ロック部材
６ｂ  係止部
８  ロック解除部材
８ｃ  操作部
１１  カバー壁
１２  栓本体部
１２ａ  螺合壁
１３  受皿
１４  流出口兼吸気口
【図１】
2011251754.tif 000003
【図２】
2011251754.tif 000004
【図３】
2011251754.tif 000005
【図４】
2011251754.tif 000006
【図５】
2011251754.tif 000007
【図６】
2011251754.tif 000008
【図７】
2011251754.tif 000009
【図８】
2011251754.tif 000010